(57)【特許請求の範囲】
【請求項１】
リンクプレートチェーン（１）であって、
長尺のチェーンリンクと、
短尺のチェーンリンクと、
を備え、前記チェーンリンクは、クレードルトランスミッティングメンバ対（８〜１０）により連結される長尺のリンクプレート（６）及び短尺のリンクプレート（３，４）を有する、リンクプレートチェーン（１）において、
前記短尺のリンクプレート（３，４）も、前記長尺のリンクプレート（６）も、少なくとも１つの突出部（３１，３２；４１〜４４；６１〜６４）を有しており、
前記突出部（３１，３２；４１〜４４；６１〜６４）のリンクプレート側片側の輪郭が、前記長尺のリンクプレート（６）と前記短尺のリンクプレート（３，４）とが運転中に衝突することがないように調整されていることを特徴とするリンクプレートチェーン。
【請求項２】
前記短尺のリンクプレート（３，４）も、前記長尺のリンクプレート（６）も、２つより多くの突出部（３１，３２；４１〜４４；６１〜６４）を有することを特徴とする、請求項１に記載のリンクプレートチェーン。
【請求項３】
すべてのリンクプレート（３，４，６）は、それぞれ４つの突出部（３１，３２；４１〜４４；６１〜６４）を有することを特徴とする、請求項１又は２に記載のリンクプレートチェーン。
【請求項４】
前記突出部（３１，３２；４１〜４４；６１〜６４）は、前記リンクプレート（３，４，６）の長辺の延長上に延在することを特徴とする、請求項１から３までのいずれか１項に記載のリンクプレートチェーン。
【請求項５】
前記突出部（３１，３２；４１〜４４；６１〜６４）は、前記リンクプレート（３，４，６）の角隅領域に配置されていることを特徴とする、請求項１から４までのいずれか１項に記載のリンクプレートチェーン。
【請求項６】
前記リンクプレートチェーン（１）は、短尺のリンクプレート（３，４）及び長尺のリンクプレート（６）しか有しないことを特徴とする、請求項１から５までのいずれか１項に記載のリンクプレートチェーン。
【請求項７】
前記短尺のリンクプレート（３，４）及び前記長尺のリンクプレート（６）は、それぞれ１つの開口（２３，２４，２６）を有することを特徴とする、請求項１から６までのいずれか１項に記載のリンクプレートチェーン。
【請求項８】
前記リンクプレートチェーン（１）のすべての短尺のリンクプレート（３，４）は、同一構成とされていることを特徴とする、請求項１から７までのいずれか１項に記載のリンクプレートチェーン。
【請求項９】
前記リンクプレートチェーン（１）のすべての長尺のリンクプレート（６）は、同一構成とされていることを特徴とする、請求項１から８までのいずれか１項に記載のリンクプレートチェーン。
【請求項１０】
請求項１から９までのいずれか１項に記載のリンクプレートチェーン（１）用の短尺のリンクプレート（３，４）及び／又は長尺のリンクプレート（６）。
【発明の詳細な説明】
【技術分野】
【０００１】
本発明は、リンクプレートチェーン、特に自動車の無段の変速伝動機構用のリンクプレートチェーンであって、長尺のチェーンリンクと、短尺のチェーンリンクと、を備え、チェーンリンクは、クレードルトランスミッティングメンバ対により連結される長尺のリンクプレート及び短尺のリンクプレートを有する、リンクプレートチェーンに関する。
【背景技術】
【０００２】
独国特許出願公開第１０２００４００７１００号明細書において、長短のリンクプレートを備えるリンクプレートチェーンであって、長いリンクプレートは、その一方の長手方向端部に１つの付設部を長手方向で有し、付設部は、短いリンクプレートとオーバラップし、短いリンクプレートは、長いリンクプレートに、リンクプレートチェーンの長手方向で、別の長いリンクプレートを介して結合されている、リンクプレートチェーンが公知である。独国特許出願公開第１０２００７０１８５０１号明細書において、それぞれチェーンリンクを形成する複数のリンクプレートからなるリンクプレートチェーンであって、それぞれのチェーンリンクは、ジョイントによりそれぞれ１つの隣接するチェーンリンクに結合されており、リンクプレートチェーンは、ダンピングリンクプレートを備え、ダンピングリンクプレートは、それぞれ２つの隣接するチェーンリンクを座屈運動に関して弾性的に互いに結合し、ダンピングリンクプレートは、少なくとも一方向でのリンクプレートチェーンの座屈をダンピングする、リンクプレートチェーンが公知である。
【発明の概要】
【発明が解決しようとする課題】
【０００３】
本発明の課題は、低コストに製造可能であり、かつ／又は長い寿命を有するリンクプレートチェーン、特に自動車の無段の変速伝動機構用のリンクプレートチェーンであって、長尺のチェーンリンクと、短尺のチェーンリンクと、を備え、チェーンリンクは、クレードルトランスミッティングメンバ対により連結される長尺のリンクプレート及び短尺のリンクプレートを有する、リンクプレートチェーンを提供することである。
【課題を解決するための手段】
【０００４】
上記課題は、リンクプレートチェーン、特に自動車の無段の変速伝動機構用のリンクプレートチェーンであって、長尺のチェーンリンクと、短尺のチェーンリンクと、を備え、チェーンリンクは、クレードルトランスミッティングメンバ対により連結される長尺のリンクプレート及び短尺のリンクプレートを有する、リンクプレートチェーンにおいて、短尺のリンクプレートも、長尺のリンクプレートも、少なくとも１つの付設部を有することによって解決される。これにより、製造及び組み立てあるいはリンクプレートチェーンの運転中の特性を大幅に単純化することができる。
【０００５】
リンクプレートチェーンの好ましい一実施例は、短尺のリンクプレートも、長尺のリンクプレートも、２つより多くの付設部を有することを特徴とする。これにより、リンクプレートチェーンの製造及び組み立てあるいは運転中の特性をさらに単純化することができる。
【０００６】
リンクプレートチェーンの別の好ましい一実施例は、すべてのリンクプレートが、それぞれ４つの付設部を有することを特徴とする。これにより簡単に、運転中のリンクプレートチェーンの望ましくない折曲又は座屈を阻止することができる。
【０００７】
リンクプレートチェーンの別の好ましい一実施例は、付設部が、リンクプレートの長辺の延長上に延在することを特徴とする。リンクプレートにおいて長辺の延長上に延在する付設部は、突出部ともいう。
【０００８】
リンクプレートチェーンの別の好ましい一実施例は、付設部が、リンクプレートの角隅領域に配置されていることを特徴とする。リンクプレートの全４つの角隅領域に設けられた突出部又は付設部により、リンクプレートチェーンの製造時及び組み立て時の取り扱いが単純化される。
【０００９】
リンクプレートチェーンの別の好ましい一実施例は、リンクプレートチェーンが、短尺のリンクプレート及び長尺のリンクプレートしか有しないことを特徴とする。付設部又は突出部を有するリンクプレートにより、短尺のリンクプレート及び長尺のリンクプレートの寿命を、突出部又は付設部を有しないリンクプレートに比べて延長することができる。
【００１０】
リンクプレートチェーンの別の好ましい一実施例は、短尺のリンクプレート及び長尺のリンクプレートが、それぞれ１つの開口を有することを特徴とする。リンクプレートを中間ウェブなしに構成したことで、リンクプレートの製造及び組み立てが、さらに単純化される。
【００１１】
リンクプレートチェーンの別の好ましい一実施例は、リンクプレートチェーンのすべての短尺のリンクプレートが、同一構成とされていることを特徴とする。これにより、本発明に係るリンクプレートチェーンの製造コストを大幅に削減することができる。
【００１２】
リンクプレートチェーンの別の好ましい一実施例は、リンクプレートチェーンのすべての長尺のリンクプレートが、同一構成とされていることを特徴とする。これにより、本発明に係るリンクプレートチェーンの製造コストをさらに削減することができる。
【００１３】
さらに、本発明は、前述のリンクプレートチェーン用の短尺のリンクプレート及び／又は長尺のリンクプレートに関する。リンクプレートは、独立して取り扱うことができる。
【００１４】
本発明は、場合によっては、上述のリンクプレートチェーンを備えるＣＶＴ伝動機構にも関する。ＣＶＴ伝動機構においてリンクプレートチェーンは、２つの円錐シーブセットを互いに駆動結合するために用いられる。ＣＶＴのアルファベットは、英語のＣｏｎｔｉｎｕｏｕｓｌｙ  Ｖａｒｉａｂｌｅ  Ｔｒａｎｓｍｉｓｓｉｏｎに由来し、ＣＶＴ伝動機構の変速比が無段調節可能であることを意味する。
【００１５】
本発明のさらなる利点、特徴及び詳細は、以下の説明より看取可能である。図面を参照しながら様々な実施例について詳細に説明する。
【図面の簡単な説明】
【００１６】
【図１】本発明に係るリンクプレートチェーンの、２つの短尺のリンクプレートと１つの長尺のリンクプレートとを含む部分を、平面図で示した図である。
【図２】図１に示したリンクプレートチェーンの短尺のリンクプレートの１つを平面図で示した図である。
【図３】図１に示したリンクプレートチェーンの長尺のリンクプレートを同じく平面図で示した図である。
【発明を実施するための形態】
【００１７】
図１は、本発明に係るリンクプレートチェーン１の、２つの短尺のリンクプレート３，４と１つの長尺のリンクプレート６とを含む部分を、平面図で示している。これらのリンクプレート３，４及び６を互いにかつリンクプレートチェーン１の別の（図示しない）リンクプレートに結合するのに、クレードルトランスミッティングメンバ対８，９，１０あるいはロッカーピン対が用いられる。各トランスミッティングメンバ対８，９，１０は、２つのクレードルトランスミッティングメンバ１１，１２；１３，１４；１５，１６を有する。
【００１８】
本発明に係るリンクプレートチェーン１は、全部で２タイプのリンクプレート、具体的には、図２に単独で示した短尺のリンクプレート３，４と、図３に単独で示した長尺のリンクプレート６しか有しない。短尺のリンクプレート３，４は、ショートリンクプレート（Ｋｕｒｚｌａｓｃｈｅ）ともいう。同様に長尺のリンクプレート６は、ロングリンクプレート（Ｌａｎｇｌａｓｃｈｅ）ともいう。すべてのロングリンクプレート６は、同一構成とされている。すべてのショートリンクプレート３，４も、同様に同一構成とされている。
【００１９】
２タイプのリンクプレートを使用したことを除いて、本発明に係るリンクプレートチェーンは、独国特許出願公開第１９０４７９７９号明細書（DE 190 47 979 A1）に記載のリンクプレートチェーンと同様又は類似の構成とされている。本発明に係るリンクプレートチェーンは、同じく上述の独国特許出願公開明細書に開示された無段の円錐シーブ式巻き掛け伝動機構（Ｋｅｇｅｌｓｃｈｅｉｂｅｎｕｍｓｃｈｌｉｎｇｕｎｇｓｇｅｔｒｉｅｂｅ）において使用される。
【００２０】
図２に単独で示した短尺のリンクプレート４は、左側のリンクプレート側片８２と、右側のリンクプレート側片８３とを有する。リンクプレート側片８２及び８３は、上部において上側のリンクプレート片８４により一体に互いに結合されている。下部において両リンクプレート側片８２及び８３は、下側のリンクプレート片８５により一体に互いに結合されている。
【００２１】
ショートリンクプレート３，４は、２つのクレードルトランスミッティングメンバ対９，１０のためにそれぞれ１つの共通の開口２３，２４を有する。ロングリンクプレート６も、同様に２つのクレードルトランスミッティングメンバ対８，９のために１つの共通の開口２６しか有しない。
【００２２】
本発明に係るリンクプレートチェーン１を製造するために使用されるショートリンクプレート３，４及びロングリンクプレート６は、平面図で見て、それぞれ略長方形の形状を有する。ここで、上側のリンクプレート片８４，９４及び下側のリンクプレート片８５，９５は、リンクプレート側片８２，８３及び９２，９３よりも長く構成されている。ゆえに、長方形の、上下のリンクプレート片８４，８５及び９４，９５に割り当てられた辺は、長辺ともいう。
【００２３】
図２に単独で示したショートリンクプレート４は、長辺の延長上に全４つの角隅に付設部４１，４２，４３，４４を有する。付設部４１乃至４４は、短尺のリンクプレート４の長辺の延長上に延在している。図１に示した短尺のリンクプレート３には、２つの付設部３１，３２しか看取できない。
【００２４】
図３に単独で示したロングリンクプレート６は、同様に全４つの角隅に長辺の延長上に付設部６１，６２，６３，６４を有する。付設部６１乃至６４及び４１乃至４４は、突出部（Ｚｉｐｆｅｌ）ともいう。
【００２５】
突出部３１，３２；４１乃至４４及び６１乃至６４のための構成スペースは、直近のロッカージョイントのキネマティクス（Ｋｉｎｅｍａｔｉｋ）により生じる。図２及び３において、個々のクレードルトランスミッティングメンバの輪郭の連続により略示したように、突出部又は付設部４１乃至４４及び６１乃至６４の輪郭は、リンクプレートチェーン１の構成部材が運転中に衝突することがないように、このキネマティクスに合わせて調整されている。このとき、付設部３１，３２；４１乃至４４及び６１乃至６４は、有利には、二重機能を果たすような長さに構成されている。
【００２６】
本発明の一態様によれば、付設部３１，３２；４１乃至４４及び６１乃至６４は、リンクプレート３，４及び６のオーバラップを実現するために用いられる。さらに、付設部３１；３２；４１乃至４４及び６１乃至６４は、折曲防止（Ｖｅｒｋｎｉｃｋｓｉｃｈｅｒｕｎｇ）を実現するためにも用いられる。さらに、リンクプレート３，４及び６は、突出部又は付設部３１，３２；４１乃至４４及び６１乃至６４により、リンクプレート角隅のところにより多くの材料及びより高い剛性を有することになるため、リンクプレートチェーン１のチェーン寿命が延長される。
【００２７】
付設部３１，３２；４１乃至４４及び６１乃至６４の長さの上限は、３つの位置が引き続き１つのリンクプレート結合体内の同じレベル（リンク内の位置）に存在するリンクプレートにおいて長すぎる付設部又は突出部が突き当てられることで生じる。この付設部又は突出部は、図１において円７０内に略示したように、最大で、これらの突出部又は付設部がまさにまだ接触しない長さであってよい。
【符号の説明】
【００２８】
１  リンクプレートチェーン
３  短尺のリンクプレート
４  短尺のリンクプレート
６  長尺のリンクプレート
８  クレードルトランスミッティングメンバ対
９  クレードルトランスミッティングメンバ対
１０  クレードルトランスミッティングメンバ対
１１  クレードルトランスミッティングメンバ
１２  クレードルトランスミッティングメンバ
１３  クレードルトランスミッティングメンバ
１４  クレードルトランスミッティングメンバ
１５  クレードルトランスミッティングメンバ
１６  クレードルトランスミッティングメンバ
２３  開口
２４  開口
２６  開口
３１  付設部
３２  付設部
４１  付設部
４２  付設部
４３  付設部
４４  付設部
６１  付設部
６２  付設部
６３  付設部
６４  付設部
７０  円
８２  左側のリンクプレート側片
８３  右側のリンクプレート側片
８４  上側のリンクプレート片
８５  下側のリンクプレート片
９２  左側のリンクプレート側片
９３  右側のリンクプレート側片
９４  上側のリンクプレート片
９５  下側のリンクプレート片
【図１】
0006676639.tif 000002
【図２】
0006676639.tif 000003
【図３】
0006676639.tif 000004